(57)【要約】【課題】本発明は、書類を読み取る際に誤認識箇所の情報をデータ化して開示し、操作者に誤認識箇所を指摘する書類の認識制御システムを実現することを目的としている。【解決手段】このため、書類の認識制御システム（１）において、書類読み取り手段（２）と、読み取り信号を入力して書類（Ｓ）の情報をデータ化する制御手段（３）と、書類（Ｓ）の情報を表示する表示手段（４）とを備え、制御手段（３）は、読み取り信号によって書類（Ｓ）の情報の内容を判断する判断手段（６）と、書類（Ｓ）の情報の内容を判断した際に、認識箇所の情報をデータ化して記憶する認識箇所用の第１記憶手段（７）と、書類（Ｓ）の情報の内容を判断した際に、誤認識箇所の情報をデータ化して記憶する誤認識箇所用の第２記憶手段（８）と、誤認識箇所の情報を表示手段（４）に指摘して開示する誤認識箇所指摘手段（９）と、を備えている。【選択図】図１
2017156922.tif 000002
【特許請求の範囲】
【請求項１】
印字書類や手書き書類からなる書類を光学的に読み取り、読み取った情報をデータ化すべく制御する書類の認識制御システムにおいて、前記書類を読み取る書類読み取り手段と、この書類読み取り手段からの読み取り信号を入力して前記書類の情報をデータ化する制御手段と、この制御手段から出力される制御信号によって前記書類の情報を表示する表示手段とを備え、前記制御手段は、前記書類読み取り手段からの読み取り信号によって前記書類の情報の内容を判断する判断手段と、この判断手段によって前記書類の情報の内容を判断した際に、認識箇所の情報をデータ化して記憶する認識箇所用の第１記憶手段と、前記判断手段によって前記書類の情報の内容を判断した際に、誤認識箇所の情報をデータ化して記憶する誤認識箇所用の第２記憶手段と、この誤認識箇所用の第２記憶手段に記憶させた誤認識箇所の情報を前記表示手段に指摘して開示する誤認識箇所指摘手段と、を備えることを特徴とする書類の認識制御システム。
【請求項２】
前記制御手段は、前記判断手段によって前記書類の情報の内容を判断した際に、誤認識箇所の誤認識度合いが大きくなるに連れて、前記誤認識箇所指摘手段による前記表示手段に開示する誤認識情報の表示状態を高める誤認識度合い調整手段を備えることを特徴とする請求項１に記載の書類の認識制御システム。
【請求項３】
前記制御手段は、定型化された印字書類を前記書類とした際に、この書類の情報を予め記憶する印字書類データ記憶手段を備え、前記判断手段によって前記書類の情報の内容を判断した際に、誤認識箇所を前記印字書類データ記憶手段に予め記憶させた印字データに照会し、前記印字書類データ記憶手段に予め記憶させた印字データを誤認識箇所に参考表示することを特徴とする請求項１に記載の書類の認識制御システム。
【発明の詳細な説明】
【技術分野】
【０００１】
この発明は書類の認識制御システムに係り、特に書類を光学的に読み取る際に正確に認識できなかった箇所である誤認識箇所の情報をデータ化して開示する書類の認識制御システムに関するものである。
【背景技術】
【０００２】
現在、光学文字認識装置（「ＯＣＲ装置」ともいう。）や光学式マーク読み取り装置（「ＯＭＲ装置」ともいう。）が使用されており、これらの装置によって印字書類や手書き書類からなる書類の情報をデータ化している。
【０００３】
そして、後述する特許文献１においては、記入文字が記入枠に重なることによるＯＣＲ装置の誤認識をより正確に補正する技術を開示している。
【先行技術文献】
【特許文献】
【０００４】
【特許文献１】特開２０１５−９７０６７号公報
【発明の概要】
【発明が解決しようとする課題】
【０００５】
ところで、従来のＯＣＲ装置においては、印字書類や手書き書類からなる書類を光学的に読み取ってデータ化する際に、正常に読み取り処理ができた箇所である認識箇所と読み取れなかった箇所である誤認識箇所とを一様に開示していた。
このため、現状においては、印字書類や手書き書類からなる書類を正確に作成する必要があるため、書類の作成に必要以上に時間と労力とが費やされることとなってしまい、前記ＯＣＲ装置の使い勝手が悪く、実用上不利であるという不都合がある。
また、前記ＯＣＲ装置における光学的な読み取り処理の際の認識精度を向上させる技術を開発する必要があるとともに、上記の特許文献１のように、前記ＯＣＲ装置の誤認識をより正確に補正する技術を開発する必要があった。
この結果、前記ＯＣＲ装置の認識精度の向上、及び、ＯＣＲ装置の誤認識をより正確に補正するなどの技術の開発に伴って、ＯＣＲ装置が高価格となってしまい、経済的に不利となり、市場に広く浸透できず、汎用性が少ないという不都合がある。
【０００６】
この発明の目的は、印字書類や手書き書類からなる書類を読み取る際に読み取れない箇所である誤認識箇所の情報をデータ化して開示し、操作者に誤認識箇所を指摘する書類の認識制御システムを実現することにある。
【課題を解決するための手段】
【０００７】
そこで、この発明は、上述不都合を除去するために、印字書類や手書き書類からなる書類を光学的に読み取り、読み取った情報をデータ化すべく制御する書類の認識制御システムにおいて、前記書類を読み取る書類読み取り手段と、この書類読み取り手段からの読み取り信号を入力して前記書類の情報をデータ化する制御手段と、この制御手段から出力される制御信号によって前記書類の情報を表示する表示手段とを備え、前記制御手段は、前記書類読み取り手段からの読み取り信号によって前記書類の情報の内容を判断する判断手段と、この判断手段によって前記書類の情報の内容を判断した際に、認識箇所の情報をデータ化して記憶する認識箇所用の第１記憶手段と、前記判断手段によって前記書類の情報の内容を判断した際に、誤認識箇所の情報をデータ化して記憶する誤認識箇所用の第２記憶手段と、この誤認識箇所用の第２記憶手段に記憶させた誤認識箇所の情報を前記表示手段に指摘して開示する誤認識箇所指摘手段と、を備えることを特徴とする。
【発明の効果】
【０００８】
この発明によれば、印字書類や手書き書類からなる書類を光学的に読み取る際に、書類の認識制御システムによって、読み取れない箇所である誤認識箇所の情報をデータ化して操作者に指摘することにより、操作者は誤認識箇所を明確に把握することができる。
このため、読み取り処理後に誤認識箇所が指摘されることとなり、誤認識箇所を容易に把握して訂正することができ、書類を正確に作成する場合と比較して、時間と労力とを軽減させることができる。
また、従来のように技術の開発がなされていない、ＯＣＲ装置を使用しても、読み取り処理後に誤認識箇所を容易に訂正できることにより、安価なＯＣＲ装置を使用することが可能である。
【図面の簡単な説明】
【０００９】
【図１】図１は書類の認識制御システムの工程図である。（実施例１）
【図２】図２は書類の認識制御システムの概略ブロック図である。（実施例１）
【図３】図３は書類の認識制御システムによる書類の一例を示し、（ａ）は読み取り前の書類の概略図、（ｂ）は読み取り後に表示手段に開示される書類の概略図である。（実施例１）
【図４】図４は書類の認識制御システムの概略ブロック図である。（実施例２）
【図５】図５は書類の認識制御システムによる書類の一例を示し、（ａ）は読み取り前の定型化された印字書類からなる書類の概略図、（ｂ）は読み取り前に手書きを加えた書類の概略図、（ｃ）は読み取り後に表示手段に開示される書類の概略図である。（実施例２）
【発明を実施するための形態】
【００１０】
以下図面に基づいてこの発明の実施例を詳細に説明する。
【実施例１】
【００１１】
図１〜図３はこの発明の実施例１を示すものである。
図２において、１は書類の認識制御システムである。
この書類の認識制御システム１は、印字書類や手書き書類からなる書類Ｓを光学的に読み取り、読み取った情報をデータ化すべく制御する。
【００１２】
このとき、前記書類の認識制御システム１は、前記書類Ｓを読み取る書類読み取り手段２と、この書類読み取り手段２からの読み取り信号を入力して前記書類Ｓの情報をデータ化する制御手段３と、この制御手段３から出力される制御信号によって前記書類Ｓの情報を表示する表示手段４とを備えている。
そして、前記書類読み取り手段２は、公知技術であるＯＣＲ装置やＯＭＲ装置の書類読み取り機能が使用されており、詳細な説明は省略する。
前記制御手段３は、上記した書類読み取り手段２を動作させるためのプログラムを記憶し、パーソナルコンピュータからなる。
前記表示手段４は、ディスプレイからなる。
なお、前記書類の認識制御システム１は、前記表示手段４に前記書類Ｓの情報が表示された際に、表示された文字を訂正・加入する文字入力機能を備えている。
また、前記書類の認識制御システム１は、前記表示手段４に表示させた前記書類Ｓの情報を印字するプリンタからなる印刷手段５を備えている。
更に、前記制御手段３は、前記書類読み取り手段２からの読み取り信号によって前記書類Ｓの情報の内容を判断する判断手段６と、この判断手段６によって前記書類Ｓの情報の内容を判断した際に、認識箇所の情報をデータ化して記憶する認識箇所用の第１記憶手段７と、前記判断手段６によって前記書類Ｓの情報の内容を判断した際に、誤認識箇所の情報をデータ化して記憶する誤認識箇所用の第２記憶手段８と、この誤認識箇所用の第２記憶手段８に記憶させた誤認識箇所の情報を前記表示手段４に指摘して開示する誤認識箇所指摘手段９と、を備える構成を有する。
詳述すれば、前記制御手段３の判断手段６は、基本となる判断用文字情報を予め記憶し、前記書類読み取り手段２からの読み取り信号によって、前記書類Ｓの情報の内容である文字データを判断用文字情報に照会し、情報の認識状態を判断している。
また、前記制御手段３の認識箇所用の第１記憶手段７は、前記判断手段６によって前記書類Ｓの情報の内容である文字データを判断した際に、前記書類読み取り手段２の読み取り作業が正確に行われ、認識できた箇所、つまり認識箇所の情報をデータ化して記憶している。
前記制御手段３の誤認識箇所用の第２記憶手段８は、前記判断手段６によって前記書類Ｓの情報の内容である文字データを判断した際に、前記書類読み取り手段２の読み取り作業が不備となり、認識できなかった箇所、つまり誤認識箇所の情報をデータ化して記憶している。
そして、前記制御手段３の誤認識箇所指摘手段９は、前記表示手段４に前記認識箇所用の第１記憶手段７に記憶させた認識箇所の情報と前記誤認識箇所用の第２記憶手段８に記憶させた誤認識箇所の情報とを開示する際に、誤認識箇所用の第２記憶手段８の誤認識箇所の情報を指摘して開示する。
なお、前記表示手段４に「誤認識箇所の情報を指摘して開示する」方策としては、図３（ｂ）に示す如き、誤認識箇所の情報の内容である文字データを太文字にて開示する方策、あるいは、色付けする方策などが考えられる。
【００１３】
また、前記制御手段３は、前記判断手段６によって前記書類Ｓの情報の内容である文字データを判断した際に、誤認識箇所の誤認識度合いが大きくなるに連れて、前記誤認識箇所指摘手段９による前記表示手段４に開示する誤認識情報の表示状態を高める誤認識度合い調整手段１０を備える構成を有する。
つまり、前記判断手段６によって、図３（ａ）に示す如く、既に完成される書類フォーマット（印字用記録媒体）からなる前記書類Ｓの情報の内容である文字データを判断した際に、誤認識箇所に誤認識度合いを表示、つまり、ランク付けを行うものである。
例えば、以下のように３段階にランク付けを行う。
（第１ランク）
：文字データにおいて、最も誤認識状態が甚だしく、全く認識できないもの。
（第２ランク）
：文字データにおいて、誤認識は発生しているが、５〜７割程度の確率で該当する文字を判断用文字情報から開示できるもの。
（第３ランク）
：文字データにおいて、誤認識は発生しているが、３割程度の確率で該当する文字を判断用文字情報から開示できるもの。
そして、各ランクに応じて、太文字や色付けを行い、目視にて各ランクを判別可能とする。
【００１４】
つまり、前記書類の認識制御システム１は、図１に示す如く、以下の各工程を備えている。
Ａ：＜書類の読み取り工程＞
Ｂ：＜制御手段の内容判断工程＞
Ｃ：＜制御手段の第１記憶工程＞
Ｄ：＜制御手段の第２記憶工程＞
Ｅ：＜表示工程＞
Ｆ：＜訂正工程＞
【００１５】
次に、図１に沿って、前記書類の認識制御システム１の処理工程を説明する。
【００１６】
Ａ：＜書類の読み取り工程＞
この＜書類の読み取り工程＞においては、前記書類読み取り手段２によって、印字書類や手書き書類からなる前記書類Ｓを光学的に読み取る。
Ｂ：＜制御手段の内容判断工程＞
この＜制御手段の内容判断工程＞においては、前記制御手段３の判断手段６によって、この判断手段６に予め記憶させた判断用文字情報と前記書類読み取り手段２からの読み取り信号による前記書類Ｓの情報の内容である文字データとを照会し、情報の認識状態を判断する。
Ｃ：＜制御手段の第１記憶工程＞
この＜制御手段の第１記憶工程＞においては、前記判断手段６によって前記書類Ｓの情報の内容である文字データを判断した際に、前記書類読み取り手段２の読み取り作業が正確に行われ、認識できた箇所、つまり認識箇所の情報をデータ化して前記制御手段３の認識箇所用の第１記憶手段７に記憶する。
Ｄ：＜制御手段の第２記憶工程＞
この＜制御手段の第２記憶工程＞においては、前記判断手段６によって前記書類Ｓの情報の内容である文字データを判断した際に、前記書類読み取り手段２の読み取り作業が不備となり、認識できなかった箇所、つまり誤認識箇所の情報をデータ化して前記制御手段３の誤認識箇所用の第２記憶手段８に記憶する。
Ｅ：＜表示工程＞
この＜表示工程＞においては、前記表示手段４に前記認識箇所用の第１記憶手段７に記憶させた認識箇所の情報と前記誤認識箇所用の第２記憶手段８に記憶させた誤認識箇所の情報とを開示する。
このとき、前記制御手段３の誤認識箇所指摘手段９によって、誤認識箇所用の第２記憶手段８の誤認識箇所の情報を指摘して開示する。
なお、図３（ａ）に示す如く、既に完成される書類フォーマット（印字用記録媒体）からなる前記書類Ｓの情報の内容である文字データが「Ｃ」であった場合に、この文字データ「Ｃ」が前記制御手段３の誤認識箇所用の第２記憶手段８によって誤認識箇所と判断された際には、前記表示手段４に文字データ「Ｃ」に最も近似する文字データを開示する場合、図３（ｂ）に示す如く、ランク付けを考慮して太文字にて例えば「Ｇ」とした前記書類Ｓを開示する。
このとき、この＜表示工程＞においては、文字データをランク付けに応じて太文字にて開示する方策以外にも、色付けする方策などが考えられる。
Ｆ：＜訂正工程＞
この＜訂正工程＞においては、前記表示手段４に開示される誤認識箇所を、前記書類の認識制御システム１の文字入力機能によって訂正する。
【００１７】
これにより、この実施例１によれば、印字書類や手書き書類からなる前記書類Ｓを光学的に読み取る際に、前記書類の認識制御システム１によって、読み取れない箇所である誤認識箇所の情報をデータ化して操作者に指摘することにより、操作者は誤認識箇所を明確に把握することができる。
このため、読み取り処理後に誤認識箇所が指摘されることとなり、誤認識箇所を容易に把握して訂正することができ、前記書類Ｓを正確に作成する場合と比較して、時間と労力とを軽減させることができる。
また、従来のように技術の開発がなされていない、ＯＣＲ装置を使用しても、読み取り処理後に誤認識箇所を容易に訂正できることにより、安価なＯＣＲ装置を使用することが可能である。
【００１８】
また、前記制御手段３に誤認識情報の表示状態を高める前記誤認識度合い調整手段１０を備えることにより、例えば前記書類Ｓの誤認識箇所の誤認識度合いに応じて、前記誤認識度合い調整手段１０によって、前記表示手段４に開示される際の前記書類Ｓの情報の内容である文字データにおける誤認識箇所のランク付けを行うことができ、太文字や色付けによる各ランクによって目視にて判別可能となる。
このため、前記書類Ｓの誤認識箇所のランク付けによって、前記書類Ｓの情報の内容確認作業における労力や時間の削減に寄与し得る。
【実施例２】
【００１９】
図４及び図５はこの発明の実施例２を示すものである。
この実施例２において、上述実施例１のものと同一機能を果たす箇所には、同一符号を付して説明する。
【００２０】
この第２実施例の特徴とするところは、書類の認識制御システム１１の制御手段１２に印字書類データ記憶手段１３を備え、この印字書類データ記憶手段１３に予め記憶させた印字データを誤認識箇所に参考表示する構成とした点にある。
【００２１】
すなわち、前記書類の認識制御システム１１は、図４に示す如く、上述実施例１と同様に、前記書類読み取り手段２と、前記制御手段１２と、前記表示手段４とを備えている。
また、前記書類の認識制御システム１１は、前記印刷手段５を備えている。
更に、前記制御手段１２は、前記判断手段６と、前記認識箇所用の第１記憶手段７と、前記誤認識箇所用の第２記憶手段８と、前記誤認識箇所指摘手段９と、を備えている。
このとき、前記制御手段１２は、図４に示す如く、定型化された印字書類を書類ＳＳとした際に、この書類ＳＳの情報を予め記憶する前記印字書類データ記憶手段１３を備えている。
そして、前記制御手段１２は、前記判断手段６によって前記書類ＳＳの情報の内容を判断した際に、誤認識箇所を前記印字書類データ記憶手段１３に予め記憶させた印字データに照会し、前記印字書類データ記憶手段１３に予め記憶させた印字データを誤認識箇所に参考表示する構成を有する。
【００２２】
さすれば、読み取り前には、図５（ａ）に示す如く、定型化された印字書類からなる前記書類ＳＳを前記印字書類データ記憶手段１３に予め記憶させる。
そして、図５（ｂ）に示す如く、前記書類ＳＳの必要箇所に手書きを行う。
その後、前記書類読み取り手段２によって読み取った前記書類ＳＳを前記表示手段４に開示すると、図５（ｃ）に示す如く、手書きを加えた部分である必要箇所が誤認識箇所となり、この誤認識箇所を前記印字書類データ記憶手段１３に予め記憶させた印字データに照会し、前記印字書類データ記憶手段１３に予め記憶させた印字データを誤認識箇所に参考表示する。
つまり、図５（ｂ）に示す如く、例えば前記書類ＳＳの第１行目において数字の「４」、及び、第２行目において数字の「６」、第３行目において数字の「３」、第４行目において数字の「２」、第５行目において数字の「８」を筆記用具で手書きで消した場合は、図５（ｃ）に示す如く、照会後に黒色や色付けを行った太文字で「４」や「６」、「３」、「２」、「８」と参考表示される。
【００２３】
これにより、この実施例２によれば、定型化された印字書類からなる前記書類ＳＳを光学的に読み取る際に、手書きを加えた部分である必要箇所が誤認識箇所となり、前記書類の認識制御システム１１によって、読み取れない箇所である誤認識箇所の情報を参考表示して操作者に指摘することにより、操作者は誤認識箇所を明確に把握することができる。
このため、読み取り処理後に必要箇所が誤認識箇所として参考表示されることとなり、誤認識箇所を容易に把握することができ、前記書類ＳＳを作成する際の時間と労力とを軽減させることができる。
また、誤認識箇所を、黒色や色付けを行った太文字などで表示すれば、定型化された印字書類からなる前記書類ＳＳの重要箇所としてデータ化することが可能となり、例えば各種の報告書のような大量の書類ＳＳのデータ保管を容易に行うことができる。
更に、従来のように技術の開発がなされていない、ＯＣＲ装置を使用しても、読み取り処理後に誤認識箇所を容易に把握できることにより、安価なＯＣＲ装置を使用することが可能である。
【００２４】
また、この実施例２の前記書類の認識制御システム１１に、上述実施例１にて説明した前記制御手段１２に誤認識情報の表示状態を高める前記誤認識度合い調整手段１４を付加し、前記書類ＳＳの所定箇所を手書きによって故意に認識できなくした際に、前記書類ＳＳの情報の内容である文字データにおける誤認識箇所のランク付けを行う構成とすることも可能である。
つまり、前記書類ＳＳを、図５（ａ）に示す如く、その他の手書き書類、例えば定型化された印字書類である、既に完成される書類フォーマット（手書き用記録媒体）からなる構成とした場合、前記判断手段６によって前記書類ＳＳの情報の内容である文字データを判断した際に、誤認識箇所に誤認識度合い、つまり、ランク付けを行うものである。
このとき、図５（ａ）に示す如く、既に完成される書類フォーマット（手書き用記録媒体）を作成した際に、この書類フォーマットに記載される文字を、図５（ｂ）に示す如く、筆記用具で手書きにて消し、この消した箇所を誤認識箇所として処理する。
そして、上述実施例１と同様に、以下のように３段階にランク付けを行う。
（第１ランク）
：文字データにおいて、最も誤認識状態が甚だしく、全く認識できないもの。
（第２ランク）
：文字データにおいて、誤認識は発生しているが、５〜７割程度の確率で該当する文字を判断用文字情報から開示できるもの。
（第３ランク）
：文字データにおいて、誤認識は発生しているが、３割程度の確率で該当する文字を判断用文字情報から開示できるもの。
そして、各ランクに応じて、太文字や色付けを行い、目視にて各ランクを判別可能とする。
さすれば、前記制御手段３に誤認識情報の表示状態を高める前記誤認識度合い調整手段１４を備えることにより、例えば既に完成される書類フォーマット（手書き用記録媒体）からなる前記書類ＳＳの所定箇所を手書きによって故意に認識できなくした場合に、故意の度合いに応じて誤認識箇所の誤認識度合いも大きくなるため、前記誤認識度合い調整手段１０によって、前記表示手段４に開示される際の前記書類ＳＳの情報の内容である文字データにおける誤認識箇所のランク付けを行うことができ、太文字や色付けによる各ランクによって目視にて判別可能となる。
このため、前記書類ＳＳの確認のための重要順位に応じてランク付けでき、前記書類ＳＳの情報の内容を確認する際の順位付けも可能となり、書類ＳＳの情報の内容確認作業における労力や時間の削減に寄与し得る。
【００２５】
なお、この発明は上述実施例１及び２に限定されるものではなく、種々の応用改変が可能である。
【００２６】
例えば、この発明の実施例１においては、書類の認識制御システムの表示手段によって、文字データ「Ｃ」に最も近似する文字データである、ランク付けを考慮して太文字にて例えば「Ｇ」とした書類を開示したが、書類の認識制御システムにピックアップ機能を付加する特別構成とすることも可能である。
すなわち、この発明の実施例１においては、図３（ａ）及び図３（ｂ）から明らかなように、前記表示手段に書類が開示される場合、両者とも同等の大きさで表示されているが、このピックアップ機能は、書類の誤認識箇所の誤認識度合いに応じて、表示される文字の大きさも変化させるものである。
さすれば、書類の誤認識箇所が、誤認識度合いに応じて大きさ、かつ、太さ、あるいは色にてランク付けされて表示されることとなるため、前記書類の情報の内容を確認する際の順位付けも可能となり、書類の情報の内容確認作業における労力や時間の削減に寄与し得る。
このとき、上述したピックアップ機能による表示動作においては、常時、書類の誤認識箇所の誤認識度合いに応じて、表示される文字の大きさを変化させる方策や、カーソルが指摘した際にのみ表示される文字の大きさを変化させる方策などからなるピックアップ表示拡大機能が考えられる。
【符号の説明】
【００２７】
１  書類の認識制御システム
２  書類読み取り手段
３  制御手段
４  表示手段
５  印刷手段
６  判断手段
７  認識箇所用の第１記憶手段
８  誤認識箇所用の第２記憶手段
９  誤認識箇所指摘手段
Ｓ  書類
【図１】
2017156922.tif 000003
【図２】
2017156922.tif 000004
【図３】
2017156922.tif 000005
【図４】
2017156922.tif 000006
【図５】
2017156922.tif 000007